(57)【要約】【課題】  光源からの光を有効に利用できるようにする。【解決手段】  光源８からの光を一端面９ａから採り込んで面方向に導く導光板９の裏面に、光源８からの光のうち、一部の光を導光板９の表面に向けてほぼ垂直に反射し、他の一部の光を屈折させて導光板９の裏面側外部に出射させるプリズム部１０を設けた。従って、光源８からの光のうち、一部の光をプリズム部１０で反射させて液晶表示素子４に照射させることができる。また、他の一部の光をプリズム部１０で屈折させて導光板９の裏面側外部に出射させ、この出射された光を液晶表示素子４以外の部分、例えばキーボード部に照射させることができる。これにより、液晶表示素子４とこれ以外の部分との両方を照明することができるので、光源８の光を多目的に有効利用することができる。【選択図】        図３
2006286263.tif 000002
【特許請求の範囲】
【請求項１】
光源からの光を導光板の一端面から採り込み、この採り込んだ光を前記導光板の面方向に導きながら前記導光板の一面から出射させて液晶表示素子を照明する照明装置において、
前記液晶表示素子と反対側に位置する前記導光板の他面に、前記光源からの光のうち、一部の光を前記導光板の前記一面に向けてほぼ垂直に反射し、他の一部の光を屈折させて前記導光板の前記他面側外部に出射させるプリズム部を設けたことを特徴とする照明装置。
【請求項２】
前記導光板の前記他面側に、前記プリズム部で屈折されて前記導光板の前記他面側外部に出射された光を前記導光板側に向けて反射する反射板を設け、この反射板によって反射された光を前記導光板の前記一面側で前記反射板側に向けて反射することを特徴とする請求項１に記載の照明装置。
【請求項３】
光源と、この光源からの光を一端面から採り込んで面方向に導きながら表裏両面から出射させる導光板とを有し、
前記導光板の表面には、前記光源からの光を前記導光板の裏面に向けてほぼ垂直に反射する第１プリズム部が設けられ、
前記導光板の裏面には、前記光源からの光を前記導光板の表面に向けてほぼ垂直に反射する第２プリズム部が設けられている
ことを特徴とする照明装置。
【請求項４】
光源からの光を導光板の一端面から採り込み、この採り込んだ光を前記導光板の面方向に導きながら前記導光板の一面から出射させて液晶表示素子を照明する照明装置において、
前記光源と反対側に位置する前記導光板の他端面に反射部を設け、前記液晶表示素子と反対側に位置する前記導光板の他面に、前記光源からの光を前記導光板の前記一面に向けてほぼ垂直に反射すると共に、前記反射部で反射された光を前記導光板の前記一面に向けてほぼ垂直に反射するプリズム部を設けたことを特徴とする照明装置。
【発明の詳細な説明】
【技術分野】
【０００１】
この発明は、液晶表示素子を照明するバックライト装置などの照明装置に関する。
【背景技術】
【０００２】
従来、バックライト装置には、液晶表示素子の裏面側に導光板を配置し、この導光板の端面から光源の光を採り込み、この採り込んだ光を導光板の面方向に導きながら導光板の表面から出射させて液晶表示素子の裏面側に照射させることにより、液晶表示素子を照明するように構成したものがある。
【特許文献１】特開２００２−９８９６０号公報
【０００３】
このようなバックライト装置は、導光板の裏面側に反射板を配置し、この反射板によって導光板の裏面側に出射した光を導光板の表面側に向けて反射するほか、導光板の表裏両面にそれぞれ複数の細長いプリズムを密に並べて平行に形成すると共に、これら複数のプリズムをその長さ方向が導光板の表裏面で互いにほぼ直交するように配列形成することにより、光源からの光を互いにほぼ直交する２つの方向に集光させて導光板の表面から出射するように構成されている。
【発明の開示】
【発明が解決しようとする課題】
【０００４】
しかしながら、このような従来のバックライト装置では、光源からの光を導光板および反射板によって導光板の表面から液晶表示素子の裏面側に向けて出射させることにより、液晶表示素子のみを照明する構成であるから、液晶表示素子以外の部分、例えばキーボードを照明する必要がある場合には、液晶表示素子を照明するバックライト装置のほかに、別の照明装置が必要になるという不都合がある。
【０００５】
また、このような従来のバックライト装置では、導光板の表裏両面に複数のプリズムを設けているが、光源からの光を導光板の表面から出射させて１つの液晶表示素子を照明する構成であるから、２つの液晶表示素子が背中合わせに対応して配置されている場合、２つの液晶表示素子を別々のバックライト装置で照明する必要があるため、２つのバックライト装置が必要になるという不都合がある。
【０００６】
さらに、このような従来のバックライト装置では、導光板の一端部から光源の光を採り込んで面方向に導きながら面発光させているが、導光板で導かれた光が光源と反対側の他端部に到達すると、この導光板の他端部から光が漏れてしまい、光源からの光を十分に利用することができないという不都合もある。
【０００７】
この発明が解決しようとする課題は、光源からの光を有効に利用することができる照明装置を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図６に示すように、光源（８）からの光を導光板（９）の一端面（９ａ）から採り込み、この採り込んだ光を前記導光板の面方向に導きながら前記導光板の一面から出射させて液晶表示素子（４、１７）を照明する照明装置において、
前記液晶表示素子と反対側に位置する前記導光板の他面に、前記光源からの光のうち、一部の光を前記導光板の前記一面に向けてほぼ垂直に反射し、他の一部の光を屈折させて前記導光板の前記他面側外部に出射させるプリズム部（１０）を設けたことを特徴とする照明装置である。
【００１０】
請求項２に記載の発明は、図５に示すように、前記導光板（９）の前記他面側に、前記プリズム部（１０）で屈折されて前記導光板の前記他面側外部に出射された光を前記導光板側に向けて反射する反射板（１６）を設け、この反射板によって反射された光を前記導光板の前記一面側で前記反射板側に向けて反射することを特徴とする請求項１に記載の照明装置である。
【００１１】
請求項３に記載の発明は、図７および図８に示すように、光源（８）と、この光源からの光を一端面（２３ａ）から採り込んで面方向に導きながら表裏両面から出射させる導光板（２３）とを有し、
前記導光板の表面には、前記光源からの光を前記導光板の裏面に向けてほぼ垂直に反射する第１プリズム部（２４）が設けられ、
前記導光板の裏面には、前記光源からの光を前記導光板の表面に向けてほぼ垂直に反射する第２プリズム部（２５）が設けられている
ことを特徴とする照明装置である。
【００１２】
請求項４に記載の発明は、図９〜図１１に示すように、光源（８）からの光を導光板（３１）の一端面（３１ａ）から採り込み、この採り込んだ光を前記導光板の面方向に導きながら前記導光板の一面から出射させて液晶表示素子（４、１７）を照明する照明装置において、
前記光源と反対側に位置する前記導光板の他端面（３１ｂ）に反射部（３２）を設け、前記液晶表示素子と反対側に位置する前記導光板の他面に、前記光源からの光を前記導光板の前記一面に向けてほぼ垂直に反射すると共に、前記反射部で反射された光を前記導光板の前記一面に向けてほぼ垂直に反射するプリズム部（３３）を設けたことを特徴とする照明装置である。
【発明の効果】
【００１３】
請求項１に記載の発明によれば、光源からの光を一端面から採り込んで面方向に導く導光板の他面に、光源からの光のうち、一部の光を導光板の一面に向けてほぼ垂直に反射し、他の一部の光を屈折させて導光板の他面側外部に出射させるプリズム部を設けたので、光源からの一部の光をプリズム部で反射させて液晶表示素子に照射させることができると共に、他の一部の光をプリズム部で屈折させて導光板の他面側外部に出射させることにより、この導光板の他面側外部に出射された光を液晶表示素子以外の部分、例えばキーボード部などに照射させることができ、これにより液晶表示素子とこれ以外の部分との両方を照明することができるので、光源の光を多目的に有効利用することができる。
【００１４】
請求項２に記載の発明によれば、導光板の他面側に、プリズム部から導光板の他面側外部に出射された光を導光板側に向けて反射する反射板を設け、この反射板によって反射された光を前記導光板の一面側で前記反射板側に向けて反射することにより、プリズム部で屈折されて導光板の他面側外部に出射された光が反射板で反射され、その反射光が導光板の一面側で反射板側に向けて反射されるので、プリズム部で屈折されて導光板の他面側外部に出射された光を反射板と導光板の一面側との間で繰り返し反射しながら導光板の面方向に沿って進行させることができ、これによりプリズム部で屈折されて導光板の他面側外部に出射された光を増幅させることができ、この増幅された光を液晶表示素子以外の部分に照射させることができるので、これによっても光源の光を有効に利用することができる。
【００１５】
請求項３に記載の発明によれば、光源からの光を一端面から採り込んで面方向に導きながら表裏両面から出射させる導光板の表裏面のうち、導光板の表面には光源からの光を導光板の裏面に向けてほぼ垂直に反射する第１プリズム部が設けられ、導光板の裏面には光源からの光を導光板の表面に向けてほぼ垂直に反射する第２プリズム部が設けられているので、導光板の第１プリズム部で光源からの光を導光板の裏面から出射させることができると共に、導光板の第２プリズム部で光源からの光を導光板の表面から出射させることができる。このため、２つの液晶表示素子が背中合わせに対応して配置される場合、２つの液晶表示素子の間に導光板を配置することにより、１つの導光板で光源からの光を２つの液晶表示素子に同時に照射させることができ、これにより光源の光を多目的に有効利用することができる。
【００１６】
請求項４に記載の発明によれば、光源からの光を一端面から採り込んで面方向に導く導光板を備え、この導光板における光源と反対側に位置する他端面に反射部を設け、液晶表示素子と反対側に位置する導光板の他面に、光源からの光を導光板の一面に向けてほぼ垂直に反射すると共に、反射部で反射された光を導光板の一面に向けてほぼ垂直に反射するプリズム部を設けたので、光源からの光をプリズム部で導光板の一面に向けて反射させて液晶表示素子に照射させることができるほか、特に光源からの光が導光板で導かれて導光板の他端面に到達しても、その光が反射板で導光板内に反射されることにより、この反射光をプリズム部で導光板の一面に反射させて液晶表示素子に照射させることができる。このため、光源からの光および反射部で反射された光をプリズム部によって液晶表示素子に照射することができるので、導光板の他端面からの漏れ光を防いで効率良く光源からの光を有効に利用することができる。
【発明を実施するための最良の形態】
【００１７】
（実施形態１）
以下、図１〜図４を参照して、この発明の照明装置を電子辞書に適用した実施形態１について説明する。
図１はこの発明の電子辞書を閉じた状態の斜視図、図２は図１の電子辞書を開いて使用する状態の斜視図、図３は図２のＡ−Ａ矢視における内部構造を拡大して示した構成図、図４は図３の導光板の光路状態を示した要部の拡大図である。
この電子辞書は、図１および図２に示すように、互いに重なり合う第１ケース１と第２ケース２とを備え、これら第１ケース１と第２ケース２とがヒンジ部３によって回動可能に連結され、このヒンジ部３を中心に第１、第２ケース１、３が相対的に回動して開閉するように構成されている。
【００１８】
第１ケース１は、図２に示すように、全体が横長のほぼ長方形の平板状に形成され、第２ケース２に対向する表面側（図２では上面側）に液晶表示素子４がその表示面を露呈させた状態で設けられた構成になっている。第２ケース２は、第１ケース１とほぼ同じ形状で同じ大きさに形成され、第１ケース１に対向する表面側（図２では上面）にキーボード部５がその入力面を露呈させた状態で設けられた構成になっている。この場合、液晶表示素子４は、一対の透明な電極基板４ａ、４ｂ間に液晶４ｃを封入した透過型または半透過型の構造で、一対の電極基板４ａ、４ｂに選択的に電圧を印加することにより、辞書関連などの各種の情報を電気光学的に表示するように構成されている。キーボード部５は、文字キー、数字キー、カーソルキー、選択キー、決定キーなどの電子辞書に必要な各種のキーを備えている。
【００１９】
ヒンジ部３は、図２に示すように、第１ケース１の長辺部（図２では下側に位置する長辺部）における両端部に設けられたほぼ円筒状の一対の第１ヒンジ筒部６ａと、これに対向する第２ケース２の一方の長辺部（図２では上側に位置する長辺部）における中間部分に設けられたほぼ円筒状の第２ヒンジ筒部６ｂとを備え、第１ケース１の両端部の第１ヒンジ筒部６ａ間に第２ケース２の第２ヒンジ筒部６ｂを配置し、この状態で第１ヒンジ筒部６ａと第２ヒンジ筒部６ｂとを回動可能に連結した構成になっている。この場合、第１ケース１と第２ケース２とは、図示しないが、フレキシブルな接続配線基板によって両者の電子回路がヒンジ部３内を通して電気的に接続されている。
【００２０】
ところで、第１ケース１の内部には、図３に示すように、液晶表示素子４を裏面側から照明する照明装置７が設けられている。この照明装置７は、光源８と導光板９とを備えている。光源８は、複数のＬＥＤ（発光ダイオード）、または複数のランプ、あるいは直管状の蛍光管からなり、リフレクタ８ａで囲われた状態で導光板９の端面９ａ（図３では左側の端面）に対応して配置されている。導光板９は、光源８からの光を一端面９ａから採り込んで面方向に導きながら、一部の光を表面（図３では上面）から出射させて液晶表示素子４の裏面に照射させると共に、他の一部の光を導光板９の裏面側（図３では下面）に出射させるように構成されている。
【００２１】
すなわち、この導光板９は、図４に示すように、液晶表示素子４と反対側に位置する導光板９の裏面（図３では下面）に、光源８からの光のうち、一部の光を導光板９の表面（図３では上面）に向けてほぼ垂直に反射し、他の一部の光を屈折させて導光板９の裏面側外部に出射させるプリズム部１０が設けられた構成になっている。このプリズム部１０は、光源８が位置する導光板９の一端面９ａに対して、複数のプリズム１１がほぼ平行に配列形成された構成になっている。
【００２２】
これら複数のプリズム１１は、図４に示すように、断面がほぼ三角形状に形成され、光源８側に位置する辺部側が緩やかに傾斜する傾斜面１２に形成され、光源８と反対側に位置する辺部側が急激に傾斜して入射した光を分光する分光傾斜面１３に形成されている。すなわち、この分光傾斜面１３は、全反射が始まる臨界角よりも小さい角度で形成され、光源８からの光が入射したときに、その入射した一部の光を導光板９の上面に向けてほぼ垂直に反射し、その残りの光を屈折させて傾斜面１２に沿う方向に透過することにより、導光板９の斜め下側に向けて出射するように構成されている。
【００２３】
また、光源８と反対側に位置する導光板９の他端部９ｂ側の下方には、図３に示すように、反射部材１４が配置されている。この反射部材１４は、導光板９の他端部９ｂと第１ケース１の表面（図３では上面）に設けられた照明窓部１５との間に位置する個所に傾斜した状態で配置され、これにより導光板９のプリズム部１０で屈折されて導光板９の斜め下側に向けて出射した光を第１ケース１の照明窓部１５に向けて反射するように構成されている。また、照明窓部１５は、図２に示すように、第１、第２ケース１、２を開いて使用するときに、反射部材１４で反射された光を第２ケース２のキーボード部５に向けて照射するように構成されている。
【００２４】
次に、この照明装置７の作用について説明する。
まず、図２に示すように、第１、第２ケース１、２をヒンジ部３を中心に回動させて開き、この状態で光源８を発光させると、図３に示すように、その光が直接またはリフレクタ８ａで反射されて導光板９の一端面９ａから採り込まれる。この採り込まれた光は、図４に示すように、導光板９内を面方向に導かれながら進行する。このときには、採り込まれた光のうち、一部の光が導光板９の裏面（図４では下面）に設けられたプリズム部１０における複数のプリズム１１の各分光傾斜面１３に入射する。
【００２５】
この入射した光のうち、一部の光は分光傾斜面１３で導光板９の表面（図４では上面）に向けてほぼ垂直に反射され、その残りの光は分光傾斜面１３で屈折されて傾斜面１２にほぼ沿う方向に向けて導光板９の裏面側（図４では下面側）から斜め下方に出射される。これにより、分光傾斜面１３で反射された光は、図４に示すように、導光板９の上面から出射されて液晶表示素子４の下面に照射され、液晶表示素子４を照明する。また、分光傾斜面１３で屈折されて導光板９の下面側から斜め下方に向けて出射された光は、図３に示すように、導光板９と照明窓部１５との間に傾斜して配置された反射部材１４によって反射され、その反射光が表示窓部１５を透過してキーボード部５に照射され、キーボード部５を照明する。
【００２６】
このように、この電子辞書の照明装置７によれば、図２に示すように、第１、第２ケース１、２をヒンジ部４を中心に回動させて開くと、第１ケース１の液晶表示素子４が露呈すると共に、第２ケース２のキーボード部５が露呈するので、第１ケース１の液晶表示素子４を見ながら第２ケース２のキーボード部５を入力操作することができる。このときに周囲が暗い場合には、照明装置７を点灯させると、この照明装置７によって液晶表示素子４とキーボード部５とを照明することができる。
【００２７】
すなわち、この照明装置７は、図３および図４に示すように、光源８からの光を一端面９ａから採り込んで面方向に導きながら表面から出射させる導光板９の裏面に、光源８からの光の一部を導光板９の表面に向けてほぼ垂直に反射し、その残りの光を屈折させて導光板９の裏面側外部に出射させるプリズム部１０を設けているので、光源８からの光のうち、一部の光をプリズム部１０で反射させて液晶表示素子４に照射させることができると共に、他の一部の光をプリズム部１０で屈折させて導光板９の裏面側外部に出射させ、この出射した光でキーボード部５を照明することができるので、光源８の光を多目的に有効利用することができる。
【００２８】
なお、上記実施形態１の照明装置７では、光源８からの光の一部をプリズム部１０の各プリズム１１で導光板９の裏面側外部に出射させ、この出射した光を反射部材１４で反射させて表示窓部１５からキーボード部５に照射させるように構成したが、これに限らず、例えば図５に示す第１変形例のように、導光板９の裏面側に、プリズム部１０で屈折されて導光板９の裏面側外部に出射された光を導光板９側に向けて反射する反射板１６を設け、この反射板１６によって反射された光を導光板９の表面側（つまり導光板９の表面、あるいは液晶表示素子４の裏面、または液晶表示素子４の内部のいずれかであるが、この変形例では導光板９の表面）で反射板１６側に向けて反射するように構成しても良い。
【００２９】
このように構成すれば、プリズム部１０で屈折されて導光板９の裏面側外部に出射された光が反射板１６で反射され、その反射光が導光板９の表面で反射板１６に向けて反射されることにより、プリズム部１０で屈折されて導光板９の裏面側外部に出射された光を反射板１６と導光板９の表面との間で繰り返し反射しながら導光板９の面方向に進行させることができる。このため、導光板９の裏面側外部に出射した光を増幅させることができ、この増幅された光を反射部材１４で反射させて表示窓部１５からキーボード部５に照射することができるので、実施形態１の場合よりもキーボード部５を明るく照明することができ、これによっても光源８の光を有効に利用することができる。
【００３０】
また、上記実施形態１では、液晶表示素子４の裏面側に照明装置７を配置した場合について述べたが、これに限らず、例えば図６に示す第２変形例ように、液晶表示素子１７の表面側に照明装置７を配置し、この照明装置７で液晶表示素子１７を表面側から照明するように構成しても良い。この場合には、照明装置７の導光板９を表裏反転させて、導光板９の表面（図６では下面）を液晶表示素子１７の表面（図６では上面）に対応させ、プリズム部１０を第１ケース１の表面側（図６では上面側）に露呈させて配置すれば良い。また、この液晶表示素子１７は、一対の透明な電極基板４ａ、４ｂ間に液晶４ｃを封入し、その最下面に反射板１８を設け、この反射板１８で上面から入射した光を反射する反射型の構造になっている。
【００３１】
このように構成すれば、光源８からの光のうち、一部の光を導光板９の上面に位置するプリズム部１０で反射させて導光板９の下面から液晶表示素子１７に照射することができ、これにより液晶表示素子１７を照明することができるので、導光板９を通して液晶表示素子１７に表示された情報を見ることができると共に、他の一部の光をプリズム部１０で屈折させて導光板９の上面側外部に出射させ、この出射した光をキーボード部５に直接照射させることができる。このため、実施形態１のような反射部材１４や照明窓部１５が不要になるので、機器全体の構造を簡素化することができる。
【００３２】
（実施形態２）
次に、図７および図８を参照して、この発明の照明装置を電子辞書に適用した実施形態２について説明する。なお、図１〜図４に示された実施形態１と同一部分には同一符号を付して説明する。
この電子辞書は、図７に示すように、第１ケース１内に第１、第２液晶表示素子２０、２１を背中合わせに設け、この第１、第２液晶表示素子２０、２１の間に照明装置２２を配置した構成で、これ以外は実施形態１とほぼ同じ構成になっている。
【００３３】
すなわち、第１、第２液晶表示素子２０、２１は、実施形態１と同様、透過型または半透過型の構造であり、これらのうち、第１液晶表示素子２０は、図７に示すように、その表示面が第２ケース２のキーボード部５に対向する第１ケース１の表面側（図７では上面側）に露呈した状態で、第１ケース１内に配置されている。第２液晶表示素子２１は、その表示面が第２ケース２のキーボード部５に対向しない第１ケース１の裏面側（図７では下面側）に露呈した状態で、第１ケース１内に第１液晶表示素子２０と背中合わせに対応して配置されている。
【００３４】
また、照明装置２２は、図７に示すように、光源８と導光板２３とを有し、この導光板２３が第１、第２液晶表示素子２０、２１間に配置された構成になっている。この場合、導光板２３は、図８に示すように、光源８からの光を一端面２３ａから採り込んで面方向に導きながら表裏両面から出射させるように構成されている。すなわち、この導光板２３は、その表面（図８では上面）に光源８からの光を導光板２３の裏面（図８では下面）に向けてほぼ垂直に反射する第１プリズム部２４が設けられ、導光板２３の裏面に光源８からの光を導光板２３の表面に向けてほぼ垂直に反射する第２プリズム部２５が設けられた構成になっている。
【００３５】
この場合、第１、第２プリズム部２４、２５は、実施形態１のプリズム部１０とほぼ同様、光源８が位置する導光板２３の一端面２３ａに対して、複数のプリズム２６、２７をほぼ平行に配列形成した構成になっている。これら複数のプリズム２６、２７のうち、第１プリズム部２４の各プリズム２６は、図８に示すように、断面がほぼ三角形状に形成され、光源８側に位置する辺部側が緩やかに傾斜する傾斜面２６ａに形成され、光源８と反対側に位置する辺部側が急激に傾斜して入射した光をほぼ全反射する全反射傾斜面２６ｂに形成されている。すなわち、この全反射傾斜面２６ｂは、臨界角とほぼ同じか、それよりも少し大きい角度で形成され、光源８からの光が入射すると、その入射したほぼ全ての光を導光板２３の下面に向けてほぼ垂直に反射するように構成されている。
【００３６】
同様に、第２プリズム部２５の各プリズム２７も、図８に示すように、断面がほぼ三角形状に形成され、光源８側に位置する辺部側が緩やかに傾斜する傾斜面２７ａに形成され、光源８と反対側に位置する辺部側が急激に傾斜して入射した光をほぼ全反射する全反射傾斜面２７ｂに形成されている。この全反射傾斜面２７ｂも、臨界角とほぼ同じか、それよりも少し大きい角度で形成され、光源８からの光が入射すると、その入射したほぼ全ての光を導光板２３の上面に向けてほぼ垂直に反射するように構成されている。この場合、第２プリズム部２５の各プリズム２７は、図８に示すように、第１プリズム部２４の各プリズム２６と対応しないように、交互に位置がずれた状態で配列されている。
【００３７】
このような電子辞書の照明装置２２によれば、光源８からの光を一端面２３ａから採り込んで面方向に導きながら表裏両面から出射させる導光板２３の表面に、光源８からの光を導光板２３の裏面側に向けて反射する第１プリズム部２４を設け、導光板２３の裏面に光源８からの光を導光板２３の表面側に向けて反射する第２プリズム部２５を設けたので、導光板２３の第１プリズム部２６で光源８からの光を導光板２３の裏面から出射させることができると共に、導光板２３の第２プリズム部２５で光源８からの光を導光板２３の表面から出射させることができる。
【００３８】
すなわち、第１プリズム部２４は、図８に示すように、光源８からの光が各プリズム２６の全反射傾斜面２６ｂに入射すると、その入射光を導光板２３の下面に向けてほぼ垂直に反射するので、光源８からの光を導光板２３の裏面から出射させることができ、また第２プリズム部２５は、光源８からの光が各プリズム２７の全反射傾斜面２７ｂに入射すると、その入射光を導光板２３の上面に向けてほぼ垂直に反射するので、光源８からの光を導光板２３の表面から出射させることができる。これにより、導光板２３の表裏面に対応して配置された第１、第２液晶表示素子２０、２１を１つの導光板２３で同時に照明することができるので、光源８の光を多目的に有効利用することができる。
【００３９】
（実施形態３）
次に、図９および図１０を参照して、この発明の照明装置を電子辞書に適用した実施形態３について説明する。この場合にも、図１〜図４に示された実施形態１と同一部分に同一符号を付して説明する。
この電子辞書は、図９および図１０に示すように、照明装置３０の導光板３１が実施形態１と異なる構成になっている。すなわち、この導光板３１は、光源８の光を一端面３１ａから採り込み、この採り込んだ光を反対側の他端面３１ｂから漏らさずに導光板３１の表面（図１０では上面）から出射させて液晶表示素子４を照明するように構成されている。
【００４０】
この場合、導光板３１は、図９および図１０に示すように、光源８と反対側に位置する導光板３１の他端面３１ｂに、導光板３１内で導かれた光を再び導光板３１内に反射する反射部３２を設けた構成になっている。また、この導光板３１は、その裏面（図１０では下面）に光源８からの光を導光板３１の表面（図１０では上面）に向けて反射すると共に、反射部３２で反射された光を導光板３１の表面に向けて反射するプリズム部３３を設けた構成になっている。このプリズム部３３は、図１０に示すように、断面がほぼ二等辺三角形状の溝部３４を導光板３１の一端面３１ａに沿ってほぼ平行に複数配列形成した構成になっている。
【００４１】
このプリズム部３３の各溝部３４は、その対向面がそれぞれ全反射傾斜面３４ａ、３４ｂに形成されている。これら全反射傾斜面３４ａ、３４ｂのうち、光源８側に位置する全反射傾斜面３４ａは、図１０に示すように、光源８からの光うち、一部の光が入射すると、その入射光を導光板３１の上面に向けてほぼ垂直に反射するように形成されている。また、光源８と反対側に位置する全反射傾斜面３４ｂは、図１０に示すように、反射部３２で反射された反射光のうち、一部の反射光が入射すると、その入射した反射光を導光板３１の上面に向けてほぼ垂直に反射するように形成されている。
【００４２】
このような電子辞書の照明装置３０によれば、光源８からの光を一端面３１ａから採り込んで面方向に導く導光板３１の他端面３１ｂに反射部３２を設け、この導光板３１の裏面に、光源８からの光を導光板３１の表面に向けて反射すると共に、反射部３２で反射された光を導光板３１の表面に向けて反射するプリズム部３３を設けたので、光源８からの光をプリズム部３３で液晶表示素子に向けて出射させることができると共に、反射部３２で反射された光をプリズム部３３で液晶表示素子４に向けて照射することができる。
【００４３】
すなわち、この照明装置３０では、光源８と反対側に位置する導光板３１の他端面３１ｂに反射部３２が設けられているので、導光板３１の一端面３１ａから採り込んだ光源８の光が導光板３１で導かれて導光板３１の他端面３１ｂに到達すると、その光を反射板３２で再び導光板３１内に反射することができ、この反射光が導光板３１内を逆方向に進行するときにプリズム部３３で導光板３１の上面に向けてほぼ垂直に反射されて導光板３１の表面から出射されることにより、反射部３２で反射された光を液晶表示素子４に照射することができる。
【００４４】
この場合、特に導光板３１の下面に設けられたプリズム部３３は、導光板３１の一端面３１ａに沿ってほぼ平行に複数形成された溝部３４がそれぞれ断面ほぼ二等辺三角形状に形成され、これら溝部３４の対向面がそれぞれ全反射傾斜面３４ａ、３４ｂに形成されているので、光源８からの光のうち、一部の光が溝部３４の一方の全反射傾斜面３４ａに入射すると、その入射光の全てを全反射傾斜面３４ａで導光板３１の上面に向けてほぼ垂直に反射して導光板３１の上面から出射させることができる。
【００４５】
また、反射部３２で反射された反射光のうち、一部の反射光が溝部３４の他方の全反射傾斜面３４ｂに入射すると、この入射した反射光の全てを全反射傾斜面３４ｂで導光板３１の上面に向けてほぼ垂直に反射して導光板３１の上面から出射させることができる。これにより、光源８からの光および反射部３２で反射された光の両方をプリズム部３３によって液晶表示素子４に照射することができるので、導光板３１の他端面３１ｂからの漏れ光を防いで効率良く光源８からの光を有効に利用することができる。
【００４６】
なお、上記実施形態３では、液晶表示素子４の裏面側（図１０では下面）に照明装置３０を配置した場合について述べたが、これに限らず、例えば図１１に示す変形例のように、液晶表示素子１７の表面側（図１１では上面側）に照明装置３０を配置し、この照明装置３０で液晶表示素子１７を表面側から照明するように構成しても良い。この場合にも、実施形態１の第２変形例と同様、照明装置３０の導光板３１を表裏反転させて、導光板３１の表面（図１１では下面）を液晶表示素子１７の表面（図１１では上面）に対応させ、プリズム部３３を第１ケース１の表面側（図１１では上面側）に露呈させて配置すれば良い。また、この液晶表示素子１７も、その最下面に反射板１８を備えた反射型の構造になっている。
【００４７】
このように構成すれば、光源８からの一部の光をプリズム部３３で反射して導光板３１の下面から出射させると共に、導光板３１の他端面に設けられた反射部３２で反射された反射光の一部をプリズム部３３で反射して導光板３１の下面から出射させることができるので、液晶表示素子１７を表面側から照明することができ、これにより導光板３１を通して液晶表示素子１７に表示された情報を見ることができるので、実施形態３と同様、導光板３１の他端面３１ｂからの漏れ光を防いで効率良く光源８からの光を有効に利用することができる。
【００４８】
また、上記実施形態３では、プリズム部３３の各溝部３４の対向面をそれぞれ全反射傾斜面３４ｂ、３４ｂに形成した場合について述べたが、これに限らず、例えば光源８側に位置する傾斜面を実施形態１と同じ分光傾斜面に形成し、この分光傾斜面で入射光の一部を導光板３１の上面に向けてほぼ垂直に反射し、その残りの光を屈折させて導光板３１の裏面側外部に斜めに出射させるように構成しても良い。このように構成すれば、実施形態１と同様、液晶表示素子４以外のキーボード部５をも照明することができるので、より一層、光源８の光を多目的に有効利用することができる。
【００４９】
なおまた、上記実施形態１〜３では、電子機器として、電子辞書に適用した場合について述べたが、これに限らず、携帯電話機、ＰＤＡ（パーソナル・デジタル・アシスタント）などの各種の電子機器に広く適用することができる。
【図面の簡単な説明】
【００５０】
【図１】この発明を適用した電子辞書を閉じた状態の斜視図である。（実施形態１）
【図２】図１の電子辞書を開いて使用する状態を示した斜視図である。
【図３】図２のＡ−Ａ矢視における内部構造を拡大して示した構成図である。
【図４】図３の導光板における光路状態を示した要部の拡大図である。
【図５】図４の照明装置の第１変形例を示した要部の拡大図である。
【図６】図４の照明装置の第２変形例を示した要部の拡大図である。
【図７】この発明を適用した電子辞書の照明装置を示した構成図である。（実施形態２）
【図８】図７の導光板における光路状態を示した要部の拡大図である。
【図９】この発明を適用した電子辞書の照明装置を示した構成図である。（実施形態３）
【図１０】図９の導光板における光路状態を示した要部の拡大図である。
【図１１】図９の照明装置の変形例を示した要部の拡大図である。
【符号の説明】
【００５１】
４、１７  液晶表示素子
５  キーボード部
７、２２、３０  照明装置
８  光源
９、２３、３１  導光板
１０、３３  プリズム部
１１、２６、２７  プリズム
１３  分光傾斜面
１４  反射部材
１５  照明窓部
１６  反射板
２０  第１液晶表示素子
２１  第２液晶表示素子
２４  第１プリズム部
２５  第２プリズム部
２６ｂ、２７ｂ、３４ａ、３４ｂ  全反射傾斜面
３２  反射部
３４  溝部
【図１】
2006286263.tif 000003
【図２】
2006286263.tif 000004
【図３】
2006286263.tif 000005
【図４】
2006286263.tif 000006
【図５】
2006286263.tif 000007
【図６】
2006286263.tif 000008
【図７】
2006286263.tif 000009
【図８】
2006286263.tif 000010
【図９】
2006286263.tif 000011
【図１０】
2006286263.tif 000012
【図１１】
2006286263.tif 000013